(57)【要約】【課題】スリット孔に毛が効率よく導入される電気かみそりの外刃および電気かみそりを提供する。【解決手段】電気かみそり１０に断面略逆Ｕ字状に取り付けられ、毛導入孔としてスリット孔２０が穿設された電気かみそりの外刃１８において、スリット孔２０の長手方向の一方または両方の端部２０ａに、剃り面３４側が凹んだ凹部２６，６０が隣接して設けられ、スリット孔２０の端部２０ａが毛を誘い込む導入口４０として形成されている。【選択図】          図１
2004350824.tif 000002
【特許請求の範囲】
【請求項１】
電気かみそりに断面略逆Ｕ字状に取り付けられ、毛導入孔としてスリット孔が穿設された電気かみそりの外刃において、
スリット孔の長手方向の一方または両方の端部に、剃り面側が凹んだ凹部が隣接して設けられ、前記スリット孔の前記端部が毛を誘い込む導入口として形成されていることを特徴とする電気かみそりの外刃。
【請求項２】
電気かみそりに断面略逆Ｕ字状に取り付けられ、毛導入孔としてスリット孔が穿設されて肉厚に形成された肉厚領域と、該肉厚領域よりも薄く形成され、毛導入孔として多角形状または円形状の孔が穿設された肉薄領域とが設けられた電気かみそりの外刃において、
前記スリット孔の長手方向の一方または両方の端部に、前記肉薄領域が隣接して設けられ、前記スリット孔の前記端部が毛を誘い込む導入口として形成されていることを特徴とする電気かみそりの外刃。
【請求項３】
前記肉厚領域と前記肉薄領域との境界が直線状に設けられ、
前記スリット孔は、スリット孔の前記端部が前記境界上に位置し、前記肉薄領域に隣接して設けられていることを特徴とする請求項２記載の電気かみそりの外刃。
【請求項４】
前記肉厚領域と前記肉薄領域との境界が波形に形成されていることを特徴とする請求項２記載の電気かみそりの外刃。
【請求項５】
前記スリット孔は、スリット孔の長手方向が前記境界に直交して複数設けられていることを特徴とする請求項４記載の電気かみそりの外刃。
【請求項６】
電気かみそりに断面略逆Ｕ字状に取り付けられた際の前記外刃の頂部が、前記肉薄領域に設けられていることを特徴とする請求項２〜５のいずれか一項記載の電気かみそりの外刃。
【請求項７】
前記肉厚領域と前記肉薄領域との境界が、前記外刃の頂辺と略平行に設けられていることを特徴とする請求項６記載の電気かみそりの外刃。
【請求項８】
前記スリット孔は、長さが２ｍｍ以上且つ幅が０．３ｍｍ以下に形成されていることを特徴とする請求項１〜６のいずれか一項記載の電気かみそりの外刃。
【請求項９】
請求項１〜７のいずれか一項記載の電気かみそりの外刃と、該外刃の内面に摺接する内刃とを備えた電気かみそり。
【発明の詳細な説明】
【０００１】
【発明の属する技術分野】
本発明は、電気かみそりに断面略逆Ｕ字状に取り付けられ、毛導入孔としてスリット孔が穿接された電気かみそりの外刃および電気かみそりに関する。
【０００２】
【従来の技術】
図７は、従来の往復動式の電気かみそりの外刃の一例を示す平面図である（特許文献１参照）。
図７に示す往復動式の電気かみそりの外刃１００は、薄い略矩形状の金属板の中央側に円形孔１０８が多数設けられ、両端側にスリット孔１０４が多数設けられて形成されているものである。
この外刃１００は、上記のように異なる形状の毛導入孔を配列することにより、それぞれの毛導入孔の特性を合わせて効率よく毛を導入しようとするものである。すなわち、円形孔１０８は、円形孔１０８に容易に入る程度の長さの毛をさらに短くする深剃り用として設けられており、スリット孔１０４は、円形孔１０８には導入されにくいような長く伸びた毛をスリット孔１０４の長手方向に沿って導入し切断する粗剃り用として設けられている。
【０００３】
上記円形孔１０８は深剃り用として設けられているものであるから、薄く形成された金属板に穿設されていることが好ましい。これに対し、スリット孔１０４は、ある程度厚く設けられた金属板に穿設されていないと、スリット孔１０４から肌が入り込み、内刃により肌が傷つけられてしまう（いわゆるヒリツキ）おそれがある。
このため、外刃１００のスリット孔１０４が穿設された領域は、ヒリツキが生じない所定の厚さ（肉厚領域１０２）に設けられ、円形孔１０８が穿設された領域は、肉厚領域１０２よりも肉薄（肉薄領域１０６）に設けられている。
【０００４】
【特許文献１】
米国特許第３５６４７１５号明細書（第１図および第２図）
【０００５】
【発明が解決しようとする課題】
しかしながら、上記のように構成されている外刃１００は、外刃１００を使用して長い毛を剃る場合、均一な厚さに設けられた肉厚領域１０２に穿設されているスリット孔１０４に長い毛が導入されにくいという問題がある。すなわち、外刃１００の剃り面１１０を肌に当てて移動させた際、図８に示すように、スリット孔１０４の長手方向と平行な毛１１２は、スリット孔１０４内に導入されやすいが、スリット孔１０４の長手方向に対して斜めにクロスする方向に傾いている毛１１４は、毛１１４がスリット孔１０４と交差するようになるから、うまくスリット孔１０４に導入されずに剃り残ってしまうという問題がある。
【０００６】
そこで、本発明においては、この課題を解決すべくなされたものであり、その目的とするところは、スリット孔に毛が効率よく導入される電気かみそりの外刃および電気かみそりを提供することにある。
【０００７】
【課題を解決するための手段】
本発明は、上記目的を達成するため次の構成を備える。
すなわち、電気かみそりに断面略逆Ｕ字状に取り付けられ、毛導入孔としてスリット孔が穿設された電気かみそりの外刃において、スリット孔の長手方向の一方または両方の端部に、剃り面側が凹んだ凹部が隣接して設けられ、前記スリット孔の前記端部が毛を誘い込む導入口として形成されていることを特徴とする。なお、スリット孔の端部に凹部が隣接しているというのは、スリット孔の端部の輪郭に沿って凹部が設けられている状態を表すものである。また、スリット孔が設けられている外刃とは、スリット孔のみが設けられている外刃に限定するものではなく、一つ以上のスリット孔が設けられていることをいうものである。さらに、スリット孔の端部に凹部が隣接して設けられているとの記載は、外刃に設けられた全てのスリット孔に凹部が隣接して設けられていることを意味するものではなく、少なくとも一つのスリット孔に凹部が隣接して設けられていることを意味するものである。
また、電気かみそりに断面略逆Ｕ字状に取り付けられ、毛導入孔としてスリット孔が穿設されて肉厚に形成された肉厚領域と、該肉厚領域よりも薄く形成され、毛導入孔として多角形状または円形状の孔が穿設された肉薄領域とが設けられた電気かみそりの外刃において、前記スリット孔の長手方向の一方または両方の端部に、前記肉薄領域が隣接して設けられ、前記スリット孔の前記端部が毛を誘い込む導入口として形成されていることを特徴とする。
【０００８】
また、前記肉厚領域と前記肉薄領域との境界が直線状に設けられ、前記スリット孔は、スリット孔の前記端部が前記境界上に位置し、前記肉薄領域に隣接して設けられていることを特徴とする。なお、上記境界が直線状に設けられているというのは、外刃が電気かみそりに取り付ける前の平板状の状態において、境界部が直線状に設けられていることを示している。また、境界が直線状になっているというのは、境界の一端から他端までが完全に直線状に設けられていることを意味するものではなく、境界部が略直線状であれば良いものである。すなわち、例えば一端側が若干湾曲した形状であっても、境界の大部分が直線状に形成されていればよいことを意味するものである。
また、前記肉厚領域と前記肉薄領域との境界が波形に形成されていることを特徴とする。なお、この場合においても、電気かみそりに取り付ける前の平板状の外刃において、境界の一端から他端までの主要部が波形に形成されていることを示している。
また、前記スリット孔は、スリット孔の長手方向が前記境界に直交して複数設けられていることを特徴とする。これにより、スリット孔の導入口から入り込む毛がスリット孔の側壁面に沿ってスリット孔内に導入されやすい。
【０００９】
また、電気かみそりに断面略逆Ｕ字状に取り付けられた際の前記外刃の頂部が、前記肉薄領域に設けられていることを特徴とする。
また、前記肉厚領域と前記肉薄領域との境界が、前記外刃の頂辺と略平行に設けられていることを特徴とする。なお、上記境界が外刃の頂辺と略平行ということは、境界が直線状に設けられていることに限定されるものではなく、境界が波形に設けられているものであってもよい。すなわち、境界の概形が頂辺と略平行であることを意味するものである。
また、前記スリット孔は、長さが２ｍｍ以上且つ幅が０．３ｍｍ以下に形成されていることを特徴とする。
また、前記電気かみそりの外刃と、該外刃の内面に摺接する内刃とを備えた電気かみそり。
【００１０】
【発明の実施の形態】
以下、本発明にかかる電気かみそりの外刃の好適な実施の形態を添付図面に基づいて詳細に説明する。
図１は、本発明にかかる電気かみそりの外刃の一実施形態の構成を示す平面図および断面図である。また、図２は、図１に示す外刃が取り付けられた電気かみそりの全体構成を示す概略図である。
【００１１】
図２に示すように、本実施形態の電気かみそり１０は、上端に内刃１２が取り付けられ、内刃１２を往復動させる駆動部が内蔵された本体ハウジング１４と、本体ハウジング１４の上部に着脱自在に装着され、内刃１２と摺接する外刃１８が取り付けられている刃ヘッド部１６とを備える往復動式の電気かみそりである。
この刃ヘッド部１６の外刃１８は、毛導入孔が複数穿設され略長方形状に形成された薄い金属板からなり、外刃１８の短辺側を湾曲させて刃ヘッド部１６に断面略逆Ｕ字状に取り付けられている。
【００１２】
本実施形態の外刃１８は、図１（ａ）に示すように、粗剃り用の毛導入孔としてスリット孔２０が多数設けられ肉厚に形成された肉厚領域３０と、深剃り用の毛導入孔として円形孔２２が多数設けられ、肉厚領域３０よりも肉薄に形成された肉薄領域３２とに区分されて形成されている。
この肉厚領域３０と肉薄領域３２とからなる外刃１８は、金属板の厚さの違いによって剃り面３４側が凹凸面に形成され、内刃１２が摺接する内面側が平坦面に形成されている。
【００１３】
本実施形態においては、肉厚領域３０および肉薄領域３２は金属板の長手方向に延びる帯状に形成され、肉厚領域３０，３０は金属板の短手方向の両端側、円形孔２２は金属板の中央側に設けられいる。この構成により、図２に示すように、外刃１８を刃ヘッド部１６に断面略逆Ｕ字状に取り付けた際に、外刃１８の頂部３７が肉薄領域３２となるように外刃１８が取り付けられる。これにより、肌に接する頻度の高い外刃の頂部３７によって深剃りができるとともに、あごの下側等の電気かみそりで剃りにくく剃り残しが発生しやすい部分を、電気かみそりを傾けて肉厚領域３０を当てることによって、剃り残されて長くなっている毛を好適に切断することができる。また、薄く設けられ撓み性を有する肉薄領域３２が湾曲する頂部３７に位置し、厚く設けられ剛性を有する肉厚領域３０が側部に位置することから電気かみそり１０の刃ヘッド部１６に取り付けられやすいという利点もある。
【００１４】
ここで、本発明における電気かみそりの外刃においては、スリット孔内に毛が導入されやすいように形成していることを特徴とするものである。すなわち、スリット孔の端部が、剃り面側が凹んだ凹部に隣接するようにスリット孔が穿設されていることにより、スリット孔の端部が開口して導入口に形成され、この導入口から毛が誘い込まれるように設けられている。
本実施形態においては、肉厚領域３０に設けられたスリット孔２０が、端部２０ａが肉厚領域３０よりも凹んだ凹部としての肉薄領域３２に隣接するように穿設されている。以下に、本実施形態の外刃１８の構成について詳しく説明する。
【００１５】
本実施形態の外刃１８においては、図１に示すように、肉厚領域３０と肉薄領域３２との境界３６が直線状に形成され、境界３６の剃り面３４側が厚さの異なりにより段差部３８に形成されている。そして、肉厚領域３０に設けられたスリット孔のうち境界３６に沿って設けられたスリット孔２０・・は、端部２０ａが境界３６上に位置し、端部２０ａが肉薄領域３２に隣接するように穿設されている。
【００１６】
図３に示すように、境界３６上に端部２０ａが位置するように設けられたスリット孔２０は、肉薄領域３２に端部２０ａが隣接することで端部２０ａが開口した状態に設けられる。これにより、スリット孔２０の開口した端部２０ａが毛を誘い込む導入口４０として作用する。すなわち、導入口４０は、スリット孔２０を形成する側壁面２０ｂと肉薄領域３２とを連通する形状に形成されていることから、肉薄領域３２の剃り面に接触して肉厚領域３０側に移動する毛を、段差部３８を乗り越えさせることなく、導入口４０を通ってスリット孔２０内に誘い込むことができる。これにより、スリット孔２０の端部２０ａから効率よく毛を導入することが可能となる。
【００１７】
肉厚領域３０と肉薄領域３２との境界３６は、スリット孔２０の長手と直交する直線状に設けられ、境界３６の段差部３８とスリット孔２０の側壁面２０ｂとは直交した状態に設けられている。このように設けられていることにより、スリット孔２０の長手とクロスする方向に傾斜した毛は、導入口４０に毛の根元部分が入ると、段差部３８および側壁面２０ｂによりガイドされて、スリット孔２０の長手方向に傾斜向きを変えながらスリット孔２０内に誘い込まれる。これにより、スリット孔２０の長手とクロスする毛であっても好適にスリット孔２０内に導入することができる。
【００１８】
また、本実施形態の外刃１８は、直線状の境界３６に沿って所定間隔おきにスリット孔２０が設けられているものである。これにより、境界３６は、段差部３８と導入口４０とが交互に設けられたくし刃状に形成されている。このため、多数の導入口４０・・により長く伸びた毛をスリット孔２０に効率よく導入できると共に、スリット孔２０に導入されない場合でも、くし刃状のスリット孔２０により毛の傾斜方向を整えることができることから、電気かみそりを何度が往復させることで毛を導入しやすくなる。
【００１９】
図２に示すように、本実施形態の外刃１８の境界３６は、外刃１８を刃ヘッド部１６に取り付けた際の頂辺３９（断面略逆Ｕ字状に外刃１８が取り付けられた際の頂点を結んだ線）と略平行な直線状に形成されている。電気かみそりを使用する際には、通常、先ず外刃１８の頂部３７を肌に当て、それから肌に外刃１８の傾斜面が当たるように移動させていくものである。このため、電気かみそり１０に移動方向に向かってスリット孔２０の導入口４０が開口するように設けられていることから、毛を導入口４０からスリット孔２０内に効率よく導入することができる。
【００２０】
次に、本実施形態の電気かみそり１０の作用について説明する。
図４は、本実施形態の電気かみそり１０の外刃１８に設けられたスリット孔２０に毛が導入され切断される状態を経時的に示す説明図である。なお、図４は、外刃１８の剃り面３４を肌４４に接触させ、毛４２が肉薄領域３２から境界３６に近づく方向（図４に示す矢印Ｄ方向）に電気かみそりを移動させている状態を示している。
図４（ａ）に示すように、電気かみそり１０を矢印Ｄ方向に移動させると、スリット孔２０の長手方向とクロスする方向に傾斜した毛４２は、肉薄領域３２の剃り面に接触した状態で境界３６に近づく。そして、図４（ｂ）に示すように、段差部３８の導入口４０に毛４２の根元部分が入ると、境界３６の段差部３８およびスリット孔２０の側壁面２０ｂにガイドされて、毛４２はスリット孔２０の長手方向に傾斜向きを変えながらスリット孔２０内へと誘い込まれる。
そして、導入されている毛４２は、スリット孔２０内に先端部まで入り込むと、毛４２は剃り面と直交する方向に起立することによって、図４（ｃ）に示すように、外刃１８の内面に摺接する内刃により切断される。
【００２１】
なお、本実施形態においては、境界３６がスリット孔２０の長手と直交する直線状に設けられているものであるが、本発明においてはこれに限定されるものではなく、境界３６が波形等に設けられていることであっても良い。この場合においても、波形の境界に設けられる段差部とスリット孔の側壁面によって、傾斜した毛をガイドしてスリット孔内に誘い込むことができる。
【００２２】
図５は、スリット孔２０の端部２０ａ近傍を拡大した拡大図である。図示するように、スリット孔２０は、平行な長辺２０ｄ、２０ｄと、長辺の端部２０ｅ，２０ｅから外方に突出する方向に湾曲したアール曲線２０ｃとから形成されている。
本発明において、スリット孔２０の端部２０ａとは、アール曲線２０ｃ近傍の長辺２０ｄ部分から、境界３６がアール曲線２０ｃに対して２点で交わりスリット孔２０に導入口が設けられる部分までを意味する。
本実施形態においては、境界３６が長辺の端部２０ｅを通過するようにスリット孔２０を穿設し、導入口４０をスリット孔２０の幅寸法と同じ幅に開口させて毛をスリット孔２０内に効率よく導入できるように設けている。
なお、肉厚領域３０に穿設されているスリット孔２０は、円形孔２２では剃れないような長い毛を導入するものであることから、スリット孔２０の長さは２ｍｍ以上に形成されていることが好ましい。また、スリット孔２０の幅は、ヒリツキを防止するため、０．３ｍｍ以下に形成されていることが好ましい。
【００２３】
次に、本発明にかかる電気かみそりの外刃における他の実施形態の構成について説明する。
図６は、本発明にかかる第２の電気かみそりの外刃の構成を示す部分平面図である。この図に示す外刃５０は、図１に示す外刃１８のように、肉厚領域３０と肉薄領域３２との厚さの違いによりスリット孔２０の端部２０ａを開口させているものではなく、肉厚領域５２に設けられたスリット孔５４の端部５４ａに、剃り面側が凹んだ凹部６０を隣接して設け、スリット孔５４の端部５４ａを開口させているものである。以下に、凹部６０の構成について説明する。
なお、外刃５０に設ける凹部６０は、様々な形状に形成することが可能である。そこで、図６に凹部６０の形状例を複数示す。
【００２４】
図６（ａ）に示す外刃５０は、スリット孔５４が設けられた肉厚領域５２と、円形孔５８が設けられた肉薄領域５６とからなる。そして、この外刃５０の肉厚領域５２には、肉厚領域５２に設けられたスリット孔５４の端部５４ａに隣接し、剃り面側が凹んだ凹部６０が設けられている。この凹部６０によりスリット孔５４の端部５４ａは、開口して毛を誘い込む導入口５９に形成されている。
６０ａは凹部の一例である。この凹部６０ａは、スリット孔５４の端部５４ａが対向するスリット孔５４，５４間において、スリット孔５４の幅寸法で、対向する端部５４ａ間を連続して凹んだ形状に形成したものである。このように設けることによって、スリット孔５４の端部５４ａには導入口５９が形成され、導入口５９から毛を誘い込むことができる。
【００２５】
凹部６０の他の例を説明する。６０ｂは、ひとつひとつのスリット孔５４の端部５４ａに、端部５４ａを覆う円弧状に凹部が形成されているものである。また、６０ｃは、スリット孔５４の端部５４ａが対向するスリット孔５４間において、スリット孔５４の長手方向と直交する方向に延びて複数のスリット孔５４，５４の端部５４ａ，５４ａに隣接するように凹部が溝状に形成されているものである。さらに、６０ｄのように、肉厚領域５２と肉薄領域５６との境界６２を跨いだ状態に凹部が設けられていたり、６０ｅのように、肉厚領域５２に設けられたスリット孔５４の端部５４ａから境界６２まで凹部が延出して設けられていても良い。
また、肉薄領域５６内において、スリット孔５４の端部５４ａに隣接し、肉薄領域よりも薄く形成された凹部６０ｆが設けられていることでも良い。このとき、凹部６０ｆの厚さが肉薄領域５６の厚さよりも薄く設けられていることによって、図１に示す導入口４０よりもスリット孔５４の導入口が大きく開口することから、毛を誘い込みやすくなるという利点がある。
なお、図６においては、凹部６０がスリット孔５４の一方側の端部５４ａにのみに隣接している場合について説明しているが、スリット孔５４の両方の端部５４ａ，５４ａに隣接して設けられていることであっても良い。
また、本発明においては、スリット孔と円形孔とが穿設された外刃に限定されるものではなく、均一な肉厚の金属板にスリット孔が設けられている外刃において、スリット孔の端部に凹部が隣接して設けられているものであっても良い。
【００２６】
なお、本発明にかかる外刃においては、上述した実施の形態に限定されるものではなく、本発明の精神を逸脱しない範囲において改変することでも良い。
例えば、本実施形態においてスリット孔は、境界部に対して直交する方向に設けられているものであるが、これに限定されるものではなく、境界部に対して傾斜して設けられているものであっても良い。また、本実施形態においては、外刃の短手方向に３等分に区分し、肉厚領域と肉薄領域とを交互に形成しているものであるが、２つ或いは４つ以上に分割された縞状に形成されているものであってもよい。また、区分する領域も、本実施形態では内刃１２の駆動方向に直交する方向に設けているが、例えば内刃１２の駆動方向と直交する方向に区分しても良い。
【００２７】
また、本実施形態においては、図２に示すように外刃が一枚のみ取り付けられた単列式の電気かみそりについて記載してるが、本発明においてはこれに限定されるものではなく、外刃が並列に取り付けられた多列式のものでもあっても良い。なお、従来においては、多列式に設けられた外刃の中に、スリット孔のみが穿設された粗剃り用の外刃が別途取り付けられているものがあるが、本発明の外刃においては、外刃に設けられたスリット孔が効率よく長い毛を導入して切断するものであるから、粗剃り用の外刃を別途取り付けなくても、好適に髭を剃ることが可能となる。
【００２８】
なお、上記各実施の形態においては、肉薄領域に円形状の毛導入孔が穿設された例を示しているが、本発明においてはこれに限定されるものではなく、多角形状や円形状等であっても良い。
また、本実施形態においては、外刃を形成する金属板の厚さを肉厚領域と肉薄領域の２段階に分けて形成しているものであるが、例えば肉薄領域の厚さよりもさらに薄い領域が設けられ、厚さが違う領域が３段階に設けられているものであっても良い。
また、本実施形態においては、断面略逆Ｕ字状に取り付けられた外刃の内面に、往復動する内刃が摺接する往復動式の電気かみそりについて説明したが、これに限定されるものではなく、断面略逆Ｕ字状の外刃の内面に、螺旋状に設けられ回転する内刃が摺接する回転式の電気かみそりであっても良い。
【００２９】
【発明の効果】
本発明による電気かみそりの外刃によれば、上述したように、スリット孔の端部に、剃り面側が凹んだ凹部を隣接させて設けることによって、スリット孔の端部が導入口に形成され、毛を効率よくスリット孔内に誘い込ませることができる等の著効を奏する。
【図面の簡単な説明】
【図１】本発明にかかる電気かみそりの外刃の一実施形態の構成を示す平面図および断面図である。
【図２】本発明にかかる電気かみそりの全体構成を示す概略図である。
【図３】図１に示す外刃が電気かみそりの刃ヘッド部に取り付けられた状態を示す部分斜視図である。
【図４】本実施形態の外刃における毛の切断過程を示す説明図である。
【図５】本実施形態の外刃に設けられたスリット孔の端部近傍を拡大した拡大図である。
【図６】本発明にかかる外刃の第２の実施形態の構成を示す部分平面図および部分断面図である。
【図７】従来の電気かみそりの外刃の形態を示す平面図および断面図である。
【図８】図７に示す外刃が電気かみそりの刃ヘッド部に取り付けられた状態を示す部分斜視図である。
【符号の説明】
１８  外刃
２０  スリット孔
２０ａ  端部
２２  円形孔
３０  肉厚領域
３２  肉薄領域
３４  剃り面
３６  境界
３８  段差部
４０  導入口
６０  凹部
【図１】
2004350824.tif 000003
【図２】
2004350824.tif 000004
【図３】
2004350824.tif 000005
【図４】
2004350824.tif 000006
【図５】
2004350824.tif 000007
【図６】
2004350824.tif 000008
【図７】
2004350824.tif 000009
【図８】
2004350824.tif 000010